(57)【要約】【課題】開封履歴の確認ができ、かつ開封後に不要なゴミを発生させることなく、開封後に触れて怪我をするような突出物を発生させないようにした不正開封防止キャップを提供する。【解決手段】容器口部１を開閉自在に封止するためのカバーキャップＣと、カバーキャップＣを封止状態にロックするためにカバーキャップＣに破断可能なブリッジ４を介して分離可能に接続されるロック部材５と、ロック部材５を係止状態にロックさせるために容器１３側に設けられるロック部６と、を備え、ロック部６は、ロック部材５を係止させるための係止段部８と、ロック部材５を収納するポケット９と、ブリッジ４が破断されているか否かを外部から視認できる開口１０Ａと、を有している。【選択図】  図１
2008100717.tif 000002
【特許請求の範囲】
【請求項１】
容器口部を開閉自在に封止するためのカバーキャップと、該記カバーキャップを封止状態にロックするために前記カバーキャップに分離可能に接続されるロック部材と、前記ロック部材を係止状態にロックさせるために前記容器口部に設けられるロック部と、を備え、
前記ロック部は、前記ロック部材を係止させるための係止段部と、前記ロック部材を収納するポケットと、開封履歴を確認するために前記係止段部に対する前記ロック部材の係止状態を外部から視認可能な開口と、を有していることを特徴とする不正開封防止キャップ。
【請求項２】
前記ロック部材は、前記カバーキャップに破断可能なブリッジを介して接続され、前記開口は、前記ブリッジが破断されているか否かを外部から視認できるように前記ポケットの外側に開設されることを特徴とする請求項１に記載の不正開封防止キャップ。
【請求項３】
前記開口は、前記カバーキャップから分離して前記ポケット底部に落下した前記ロック部材を外部から視認できるように前記ポケットの下部に開設されることを特徴とする請求項１に記載の不正開封防止キャップ。
【請求項４】
前記カバーキャップは、前記容器口部に螺着されるシェルにヒンジ結合され、前記シェルの口部を開閉自在に閉塞することを特徴とする請求項１乃至３の何れかに記載の不正開封防止キャップ。
【発明の詳細な説明】
【技術分野】
【０００１】
本発明は、開栓履歴の確認ができ、かつ開封時にゴミを発生させないようにした不正開封防止キャップに関する。
【背景技術】
【０００２】
容器口部に装着されるキャップ本体に上蓋がヒンジ連結されたいわゆるヒンジキャップは、各種飲料や調味料、化粧品等のあらゆる容器に広く適用されている。このようなキャップでは、一般に、いたずら防止や容器内容物の品質保証などのために不正開封防止機能を備えたものが従来より各種提案されている。例えば、キャップ本体の周壁の前方外周上端縁部に、略半円弧状の不正開封防止帯体を複数個の脆弱小ブリッジで接続した構成のものが提案されている（例えば特許文献１，２参照）。
【０００３】
この例では、不正開封防止帯体を外側方向へ引っ張って、複数個の脆弱小ブリッジを破断することにより、開封できるように構成されており、その不正開封防止帯体の有無又は脆弱小ブリッジの破損状態を確認することによって開封状態を知ることができる。つまり、不正開封の有無を判別することができる。
【特許文献１】特開２００５−１３８８９０号公報
【特許文献２】特開２００５−２１２８１６号公報
【発明の開示】
【発明が解決しようとする課題】
【０００４】
しかし、上記従来の不正開封防止キャップでは、不正開封防止帯体がキャップ本体から分離されて不要なゴミとなり、また、破損された脆弱小ブリッジが外部に露出した状態でキャップ本体の容器口部の周壁に残るため、不用意に触れて怪我をすることも懸念される。このような問題は、ヒンジキャップ以外のキャップに適用される不正開封防止構造においても同様に発生する。
【０００５】
本発明は、このような実情に鑑みてなされ、開封履歴の確認ができ、かつ開封後に不要なゴミを発生させることなく、また開封後に触れて怪我をするような突出物を発生させないようにした不正開封防止キャップを提供することを目的とする。
【課題を解決するための手段】
【０００６】
本発明の不正開封防止キャップは、容器口部を開閉自在に封止するためのカバーキャップと、該記カバーキャップを封止状態にロックするために前記カバーキャップに破断可能なブリッジを介して分離可能に接続されるロック部材と、前記ロック部材を係止状態にロックさせるために前記容器口部に設けられるロック部と、を備え、
前記ロック部は、前記ロック部材を係止させるための係止段部と、前記ロック部材を収納するポケットと、開封履歴を確認するために前記係止段部に対する前記ロック部材の係止状態を外部から視認可能な開口と、を有していることを特徴とする。
【０００７】
このような構成によれば、開口からロック部材の係止状態を視認することにより、開封履歴の有無を確認することができる。つまり、ロック部材が係止状態であれば、開封履歴はなく、ロック部材が係止状態でなければ、開封履歴があったものと判断することができる。また、カバーキャップの開放動作によって分離されたロック部材はポケットに収納されるため、ゴミになることはなく対環境性が良好である。そして、容器口部の周りにロック部材の破断された痕跡が残らないため、開封後に容器口部に触れて怪我をするような虞はなくなる。
【０００８】
前記開口は、前記ブリッジが破断されているか否かを外部から視認できるように前記ポケットの外側に開設されるようにしてもよい。このようにすれば、ブリッジが破断されているか否かを視認性よく確認することができる。
【０００９】
前記開口は、前記カバーキャップから分離して前記ポケット底部に落下した前記ロック部材を外部から視認できるように前記ポケットの下部に形成されるようにしてもよい。このようにすれば、ブリッジが破断されているか否かを視認性よく確認することができる。
【００１０】
前記カバーキャップは、前記容器口部に螺着されるシェルにヒンジ結合され、前記シェルの口部を開閉自在に閉塞するようにしてもよい。このようにすれば、カバーキャップの開閉端側にのみロック部材を設ければよい。
【発明の効果】
【００１１】
本発明の不正開封防止キャップは、ロック部材の係止状態を外部から視認可能な開口を設けているので、開封履歴の有無を明確に確認することができる。また、カバーキャップの開放動作によって分離されたロック部材はポケットに収納されるので、ゴミになることはなく対環境性が良好である。そして、容器口部の周りにはロック部材の破断された痕跡が残らないので、開封後に容器口部に触れて怪我をするような虞はなくなる。
【発明を実施するための最良の形態】
【００１２】
以下に、本発明の不正開封防止キャップの実施の形態について図面を参照しつつ詳細に説明する。
〔実施の形態１〕
図１（ａ）はカバーキャップを閉じる前の要部断面図、（ｂ）は容器口部の正面図、（ｃ）は倒置状態のカバーキャップの正面図、図２（ａ）はカバーキャップをロック状態に閉じた要部断面図、（ｂ）はロック状態に閉じたカバーキャップの正面図、図３はカバーキャップを開いた状態の要部断面図である。これらの図に示すように、この不正開封防止キャップは、容器口部１に外嵌状態に螺着されるシェル２にヒンジ結合ｈされてシェル２の口部３を開閉自在に閉塞するカバーキャップＣと、そのカバーキャップＣをシェル２に対してロックするためにカバーキャップＣに破断可能な複数のブリッジ４を介して接続されるロック部材５と、そのロック部材５を係止状態にロックさせるためにシェル２に設けられるロック部６と、を備えている。
【００１３】
より詳しくは、上記カバーキャップＣは、シェル本体２ａの中央部に離脱不能な被嵌状態に密嵌されたリング体７にヒンジ結合ｈされ、そのカバーキャップＣの開閉端側に破断可能な３つのブリッジ４を介してロック部材５が、例えば樹脂材の一体成形によりカバーキャップＣと一体的に形成されており、そのロック部材５を係止状態にロックさせるためのロック部６が、リング体７のカバーキャップＣの開閉端側の対応部位に設けられている。そのロック部６は、ロック部材５を離脱不能に挿入係止させる係止段部８と、ロック部材５を収納するポケット９と、ブリッジ４が破断されているか否かを外部から視認できるようにポケット９の外側に開設される開口１０Ａと、を有している。その開口１０Ａは、例えばリング体７の外周面に形成されたポケットカバー９ａに、３つのブリッジ４に対応させて例えば３つ開設される。
【００１４】
このような構成によれば、図１（ａ）に示すカバーキャップＣの開放状態から、図２（ａ）（ｂ）に示すように、カバーキャップＣを閉じると、ロック部材５がロック部６の係止段部８に挿入係止され、カバーキャップＣの天板１１の内側に形成された中足１２がシェル２の口部３に密嵌し、容器１３内に充填されている内容物が密封状態に保護される。このような密封状態から、図３に示すように、カバーキャップＣの開閉端側に形成された係止部１４に親指を掛けてカバーキャップＣを上方に押し上げると、３つのブリッジ４が破断されてカバーキャップＣを開放することができる。
【００１５】
ブリッジ４が破断されると、ロック部材５がポケット９の底部に落下する。その際に、外部から開口１０Ａを介してブリッジ４が破断されていることを目視で確認することができる。即ち、破断前には、図２（ｂ）に拡大して示すように、３つの開口１０Ａから視認されていたブリッジ４が、破断後には、３つの開口１０Ａから見えなくなる（図示省略）。これにより、カバーキャップＣが開放され、開封履歴があったことを判別することができる。このように開放された状態から、再度、カバーキャップＣを閉じても、ロック部材５はポケット９の底部に収納されてブリッジ４が破断されたままであるから、３つの開口１０Ａからブリッジ４が見えなくなるため開封された事実（開封履歴）が消滅することはない。
【００１６】
従って、悪戯によるカバーキャップＣの開放や何らかの外力が不用意に作用したこと等によって既に開封されている場合には、外部から開封履歴を容易に確認することができる。そして、分離されたロック部材５はポケット９に収納されるため、ゴミになることはない。また、ロック部材５の破断された痕跡が容器口部１の周りに突出した状態で残らないため、開封後に容器口部１に触れて怪我をするような虞はなくなる。
【００１７】
〔実施の形態２〕
図４（ａ）はカバーキャップを閉じる前の要部断面図、（ｂ）は倒置状態に開いたカバーキャップの正面図、図５（ａ）はカバーキャップをロック状態に閉じた要部断面図、（ｂ）はロック状態に閉じたカバーキャップの正面図、図６はカバーキャップを開いた状態の要部断面図である。これらの図に示すように、この不正開封防止キャップは、ロック部６の構成が前実施の形態と異なるが、その他の構成については、前実施の形態と同じであり、同一乃至は同等部材については同一符号を付してその説明を省略する。
【００１８】
そのロック部６は、ロック部材５を離脱不能に挿入係止させる係止段部８と、ロック部材５を収納するポケット９と、該ポケット９の底部に落下収納されたロック部材５を外部から視認するための開口１０Ｂと、を有している。その開口１０Ｂは、ポケット９の下部に形成され、詳しくは、リング体７の外周面にポケット９を覆うように付設されるポケットカバー９ａの下部とシェル本体２ａの上部の間の隙間に形成され、ロック部材５が係止段部８に係止しているときには、開口１０Ｂからロック部材５は見えないが、ブリッジ４が破断してロック部材５がポケット９の下部に落下すると、開口１０Ｂからロック部材５を視認することができる。
【００１９】
このような構成によれば、図４（ａ）に示すカバーキャップＣの開放状態から、図５（ａ）（ｂ）に示すように、カバーキャップＣを閉じると、ロック部材５がロック部６の係止段部８に挿入係止され、カバーキャップＣの天板１１の内側に形成された中足１２がシェル２の口部３に密嵌し、容器１３内に充填されている内容物が密封状態に保護される。このような密封状態から、図６に示すように、カバーキャップＣの開閉端側に形成された係止部１４に親指を掛けてカバーキャップＣを上方に押し上げると、３つのブリッジ４が破断されてカバーキャップＣを開放することができる。
【００２０】
ブリッジ４が破断されると、ロック部材５がポケット９の底部に落下収納される。このロック部材５を、例えば、シェル２やリング体７とは異なる色に着色しておくことで、そのロック部材５の存在を開口１０Ｂから明確に視認することができる。これにより、カバーキャップＣが開放されたことを判別することができる。このように開放された状態から、再度、カバーキャップＣを閉じても、ロック部材５はポケット９に収納されたままであるから開封された事実（開封履歴）を開口１０Ｂから明確に確認することができる。
【００２１】
尚、本発明は、実施の形態に限定されることなく、発明の要旨を逸脱しない限りにおいて、適宜、必要に応じて設計変更や改良等を行うのは自由であり、また、実施の形態間での組み合わせも自由である。例えばシェル２とリング体７は一体的に形成されてもよい。カバーキャップＣは、必ずしもヒンジ結合ｈでリング体７に一体化されていなくてもよく、螺合方式でシェル２に着脱自在に取り付けられてもよい。ロック部材は、必ずしも破断可能なブリッジを介してカバーキャップに一体成形される必要はなく、例えば別部材に形成して分離可能な凹凸嵌合によってカバーキャップに接続されてもよく、要するに、ロック部材は、カバーキャップから分離可能に接続されていればよく、その接続部の構成の如何は問わない。また、ブリッジを設ける場合には、そのブリッジの数や開口の数も３つ以外に適宜に選択されてよく、単一の開口から複数のブリッジを視認できるようにしてもよい。
【図面の簡単な説明】
【００２２】
【図１】（ａ）は本発明の実施の形態１に係る不正開封防止キャップのカバーキャップを開いた封止前の状態を示す要部断面図、（ｂ）は容器口部の正面図、（ｃ）はカバーキャップの倒置状態の正面図である。
【図２】（ａ）は同不正開封防止キャップのカバーキャップを閉じた状態の要部断面図、（ｂ）はカバーキャップの正面図である。
【図３】は同不正開封防止キャップのカバーキャップを封止後に開いた状態の要部断面図である。
【図４】（ａ）は本発明の実施の形態２に係る不正開封防止キャップのカバーキャップを開いた封止前の状態を示す要部断面図、（ｂ）はカバーキャップの倒置状態の正面図である。
【図５】（ａ）は同不正開封防止キャップのカバーキャップを閉じた状態の要部断面図、（ｂ）はカバーキャップの正面図である。
【図６】は同不正開封防止キャップのカバーキャップを封止後に開いた状態の要部断面図である。
【符号の説明】
【００２３】
１…容器口部、２…シェル、３…口部、４…ブリッジ、５…ロック部材、６…ロック部、８…係止段部、９…ポケット、１０Ａ，１０Ｂ…開口、Ｃ…カバーキャップ
【図１】
2008100717.tif 000003
【図２】
2008100717.tif 000004
【図３】
2008100717.tif 000005
【図４】
2008100717.tif 000006
【図５】
2008100717.tif 000007
【図６】
2008100717.tif 000008